(57)【要約】  【課題】  アスペクト比１６：９の表示装置に対して、ユーザが記録時に指定したアスペクト比で映像を表示可能とする。  【解決手段】  記録媒体から再生された映像信号に付随される識別信号（１）によりアスペクト比１６：９が検出され、識別信号（２）により画枠の４：３への切り出し指示が検出され、且つ、ユーザにより表示装置のアスペクト比１６：９が選択される。識別信号（１）、（２）及びユーザ選択の結果に基づき、アスペクト比１６：９の映像信号を、両脇を黒帯表示とし残った領域のアスペクト比が４：３になるように変換する。さらに、識別信号（１）をアスペクト比１６：９を示す値に変更し、識別信号（２）を画枠を切り出さないことを示す値に変更する。変換された映像信号、識別信号（１）および（２）をアスペクト比１６：９の表示装置に供給する。表示装置には、ユーザが意図したアスペクト比の映像が表示される。【選択図】  図４
2006246210.tif 000002
【特許請求の範囲】
【請求項１】
記録媒体に記録された映像信号を再生して出力する再生装置において、
映像信号と該映像信号の付随情報とが記録された記録媒体を再生する再生手段と、
上記再生手段の出力に基づき、上記再生手段により上記記録媒体から再生された映像信号のアスペクト比が第１のアスペクト比か、該第１のアスペクト比よりも水平方向の比率が小さい第２のアスペクト比かを示す第１の識別信号を検出する第１の識別信号検出手段と、
上記再生手段の出力に基づき上記映像信号の上記第１のアスペクト比の画枠から上記第２のアスペクト比の画枠を切り出して表示するか否かを示す第２の識別信号を検出する第２の識別信号検出手段と、
ユーザ入力に基づき上記映像信号を表示させる際の表示アスペクト比を上記第１のアスペクト比および上記第２のアスペクト比の何れにするかを示す表示アスペクト比選択信号を出力するアスペクト比選択手段と、
上記第１の識別信号が上記第１のアスペクト比を示しているときに、上記第１の識別信号の値を上記アスペクト比選択手段から出力された上記表示アスペクト比選択信号に応じた値に変更すると共に、上記第２の識別信号の値を上記切り出して表示しないことを示す値に変更する識別信号制御手段と、
上記表示アスペクト比選択信号が上記第１のアスペクト比を示し、さらに、上記第１の識別信号が上記第１のアスペクト比を示し、且つ、上記第２の識別信号が上記切り出して表示しないことを示している場合、上記第１のアスペクト比の映像信号による画枠を変えずに該映像信号のうち上記第２のアスペクト比となる領域の映像だけが表示されるように処理し、
上記表示アスペクト比選択信号が上記第２のアスペクト比を示している場合、上記第１のアスペクト比の映像信号から上記第２のアスペクト比の映像信号を切り出すようにしたアスペクト比変換手段と
を備え、
上記識別信号制御手段から出力される上記第１の識別信号および上記第２の識別信号を、上記アスペクト比変換手段から出力される映像信号と共に出力するようにしたことを特徴とする再生装置。
【請求項２】
請求項１に記載の再生装置において、
上記アスペクト比変換手段は、上記表示アスペクト比選択信号が上記第１のアスペクト比を示し、さらに、上記第１の識別信号が上記第１のアスペクト比を示し、且つ、上記第２の識別信号が上記切り出して表示しないことを示しているときに、上記第１のアスペクト比の映像信号の水平方向の両端を、他の映像信号で置き換えることで、上記第１のアスペクト比の映像信号による画枠を変えずに該映像信号による表示の水平方向の所定範囲を選択して上記第２のアスペクト比となる領域の映像だけが表示されるように処理するようにしたことを特徴とする再生装置。
【請求項３】
請求項１に記載の再生装置において、
上記第２の識別信号検出手段により上記第２の識別信号が検出されず、且つ、上記第１の識別信号が上記第１のアスペクト比を示している場合、上記アスペクト比選択手段から出力された上記表示アスペクト選択信号に基づき映像信号の上記第１のアスペクト比の画枠から上記第２のアスペクト比の画枠を切り出して表示するか否かを判断するようにしたことを特徴とする再生装置。
【請求項４】
記録媒体に記録された映像信号を再生して出力する再生方法において、
映像信号と該映像信号の付随情報とが記録された記録媒体を再生する再生のステップと、
上記再生のステップによる出力に基づき、上記再生のステップにより上記記録媒体から再生された映像信号のアスペクト比が第１のアスペクト比か、該第１のアスペクト比よりも水平方向の比率が小さい第２のアスペクト比かを示す第１の識別信号を検出する第１の識別信号検出のステップと、
上記再生のステップによる出力に基づき上記映像信号の上記第１のアスペクト比の画枠から上記第２のアスペクト比の画枠を切り出して表示するか否かを示す第２の識別信号を検出する第２の識別信号検出のステップと、
ユーザ入力に基づき上記映像信号を表示させる際の表示アスペクト比を上記第１のアスペクト比および上記第２のアスペクト比の何れにするかを示す表示アスペクト比選択信号を出力するアスペクト比選択のステップと、
上記第１の識別信号が上記第１のアスペクト比を示しているときに、上記第１の識別信号の値を上記アスペクト比選択のステップから出力された上記表示アスペクト比選択信号に応じた値に変更すると共に、上記第２の識別信号の値を上記切り出して表示しないことを示す値に変更する識別信号制御のステップと、
上記表示アスペクト比選択信号が上記第１のアスペクト比を示し、さらに、上記第１の識別信号が上記第１のアスペクト比を示し、且つ、上記第２の識別信号が上記切り出して表示しないことを示している場合、上記第１のアスペクト比の映像信号による画枠を変えずに該映像信号のうち上記第２のアスペクト比となる領域の映像だけが表示されるように処理し、
上記表示アスペクト比選択信号が上記第２のアスペクト比を示している場合、上記第１のアスペクト比の映像信号から上記第２のアスペクト比の映像信号を切り出すようにしたアスペクト比変換のステップと
を備え、
上記識別信号制御のステップにより出力される上記第１の識別信号および上記第２の識別信号を、上記アスペクト比変換のステップにより出力される映像信号と共に出力するようにしたことを特徴とする再生方法。
【請求項５】
撮像されて得られた映像信号を記録媒体に記録し、撮像され記録媒体に記録された映像信号を再生して出力する撮像装置において、
被写体からの光を撮像する撮像手段と、
上記撮像手段から出力された撮像信号に所定の信号処理を施して第１のアスペクト比の映像信号を出力する信号処理手段と、
上記信号処理手段から出力される上記映像信号のアスペクト比が上記第１のアスペクト比であることを示す第１の識別信号と、ユーザ入力に応じて、上記撮像のステップで撮像して得られた上記撮像信号に基づく映像を上記第１のアスペクト比で表示するか、該第１のアスペクト比よりも水平方向の比率が小さい第２のアスペクト比で表示するかを示す第２の識別信号とを生成する識別信号生成手段と、
上記信号処理手段から出力される上記映像信号と、上記識別信号生成手段から出力される上記第１の識別信号および上記第２の識別信号とを記録媒体に記録する記録手段と、
上記映像信号と、上記第１の識別信号および上記第２の識別信号とが記録された記録媒体を再生する再生手段と、
上記再生手段の出力から上記第１の識別信号を検出する第１の識別信号検出手段と、
上記再生手段の出力から上記第２の識別信号を検出する第２の識別信号検出手段と、
ユーザ入力に基づき上記再生手段で再生された再生映像信号を表示させる際の表示アスペクト比を上記第１のアスペクト比および上記第２のアスペクト比の何れにするかを示す表示アスペクト比選択信号を出力するアスペクト比選択手段と、
上記第１の識別信号が上記第１のアスペクト比を示しているときに、上記第１の識別信号の値を上記アスペクト比選択手段から出力された上記表示アスペクト比選択信号に応じた値に変更すると共に、上記第２の識別信号の値を上記切り出して表示しないことを示す値に変更する識別信号制御手段と、
上記表示アスペクト比選択信号が上記第１のアスペクト比を示し、さらに、上記第１の識別信号が上記第１のアスペクト比を示し、且つ、上記第２の識別信号が上記切り出して表示しないことを示している場合、上記第１のアスペクト比の上記再生映像信号による画枠を変えずに該再生映像信号のうち上記第２のアスペクト比となる領域の映像だけが表示されるように処理し、
上記表示アスペクト比選択信号が上記第２のアスペクト比を示している場合、上記第１のアスペクト比の上記再生映像信号から上記第２のアスペクト比の映像信号を切り出すようにしたアスペクト比変換手段と
を備え、
上記識別信号制御手段から出力される上記第１の識別信号および上記第２の識別信号を、上記アスペクト比変換手段から出力される映像信号と共に出力するようにしたことを特徴とする撮像装置。
【請求項６】
撮像されて得られた映像信号を記録媒体に記録し、撮像され記録媒体に記録された映像信号を再生して出力する撮像装置の撮像信号処理方法において、
被写体からの光を撮像して得られた撮像信号に所定の信号処理を施して出力された第１のアスペクト比の映像信号と、
上記映像信号のアスペクト比が上記第１のアスペクト比であることを示す第１の識別信号と、ユーザ入力に応じて、上記撮像のステップで撮像して得られた上記撮像信号に基づく映像を上記第１のアスペクト比で表示するか、該第１のアスペクト比よりも水平方向の比率が小さい第２のアスペクト比で表示するかを示す第２の識別信号と
が記録された記録媒体を再生する再生のステップと、
上記再生のステップによる出力から上記第１の識別信号を検出する第１の識別信号検出のステップと、
上記再生のステップによる出力から上記第２の識別信号を検出する第２の識別信号検出のステップと、
ユーザ入力に基づき上記再生のステップで再生された再生映像信号を表示させる際の表示アスペクト比を上記第１のアスペクト比および上記第２のアスペクト比の何れにするかを示す表示アスペクト比選択信号を出力するアスペクト比選択のステップと、
上記第１の識別信号が上記第１のアスペクト比を示しているときに、上記第１の識別信号の値を上記アスペクト比選択のステップから出力された上記表示アスペクト比選択信号に応じた値に変更すると共に、上記第２の識別信号の値を上記切り出して表示しないことを示す値に変更する識別信号制御のステップと、
上記表示アスペクト比選択信号が上記第１のアスペクト比を示し、さらに、上記第１の識別信号が上記第１のアスペクト比を示し、且つ、上記第２の識別信号が上記切り出して表示しないことを示している場合、上記第１のアスペクト比の上記再生映像信号による画枠を変えずに該再生映像信号のうち上記第２のアスペクト比となる領域の映像だけが表示されるように処理し、
上記表示アスペクト比選択信号が上記第２のアスペクト比を示している場合、上記第１のアスペクト比の上記再生映像信号から上記第２のアスペクト比の映像信号を切り出すようにしたアスペクト比変換のステップと
を備え、
上記識別信号制御のステップにより出力される上記第１の識別信号および上記第２の識別信号を、上記アスペクト比変換のステップにより出力される映像信号と共に出力するようにしたことを特徴とする撮像信号処理方法。
【発明の詳細な説明】
【技術分野】
【０００１】
この発明は、撮影時に意図されたアスペクト比で、記録媒体から再生された映像信号を表示装置に表示させることができる再生装置および方法、ならびに、撮像装置および撮像信号処理方法に関する。
【背景技術】
【０００２】
映像信号を表示するテレビジョン受像機やビデオモニタ装置における表示画面のアスペクト比は、従来から存在する、通常のＮＴＳＣ(National Television System Committee)方式による４：３と、比較的近年になって登場した、ハイビジョン画像に対応した１６：９とが代表的である。これらのうち、画枠のアスペクト比が１６：９のビデオモニタ装置は、ハイビジョン放送や、映画映像などが記録されたＤＶＤ(Digital Versatile Disc)などの普及に伴い、大幅な普及を遂げている。
【０００３】
なお、以下では、表示画面のアスペクト比が１６：９のビデオモニタ装置やテレビジョン受像機をワイド画面モニタと呼び、表示画面のアスペクト比が４：３のビデオモニタ装置やテレビジョン受像機を４：３モニタと呼ぶ。
【０００４】
一方、機器間で映像信号を伝送する際に、映像信号と共に当該映像信号のアスペクト比（４：３または１６：９）や画像表示形式（レターボックスか否かなど）を示す情報を送信する技術は、既に実用化されている。
【０００５】
例えば、ＥＩＡＪ(Electronic Industries Association of Japan)  ＣＰ−４１２０において、１４ピンの端子を用い、１４ラインのうち１ラインを用いてアスペクト比およびレターボックス形式か否かの情報（コントロール信号）を伝送することが規格化されている。このＥＩＡＪ  ＣＰ−４１２０による規格は、その端子の形状から通常「Ｄ端子」と呼ばれている。
【０００６】
Ｄ端子規格によれば、１ラインの電圧３値を用い、アスペクト比１６：９、アスペクト比４：３でレターボックス形式、アスペクト比４：３がそれぞれ示される。アスペクト比４：３でレターボックス形式は、映像信号のアスペクト比が１６：９であって、表示ライン数を例えば４８０本から３６０本に減らすと共に、全体のアスペクト比が４：３になるように画面の上下部分に無画部分を配置することで、４：３モニタに対してアスペクト比が１６：９の映像信号を表示可能としたものである。
【０００７】
Ｄ端子規格の他にも、例えばＥＩＡＪ  ＣＰＲ−１２０１に規定されるＳ２映像端子コネクタ（以下、Ｓ端子）では、Ｃ信号に対して直流を重畳し、３値の電圧値によりアスペクト比およびレターボックス形式か否かの情報（コントロール信号）を伝送することが規格化されている。Ｓ２端子においては、アスペクト比１６：９の信号は、水平方向が圧縮されアスペクト比が４：３とされたスクィーズ形式で伝送される。
【０００８】
従来からの４：３モニタや、上述したようなワイド画面モニタは、映像信号と共に伝送されたコントロール信号を検出することで、入力映像信号に適した表示を行うことができる。すなわち、４：３モニタは、コントロール信号に示される表示形式情報の設定に基づき、アスペクト比が１６：９の映像信号を、アスペクト比が４：３の映像信号に変換して映出することができる。
【０００９】
一方、ワイド画面モニタは、アスペクト比１６：９の映像信号をそのままのアスペクト比で表示可能であるため、入力されたアスペクト比１６：９の映像信号を、表示形式情報の設定に関わらずそのまま表示するようにされている。
【００１０】
このように、映像信号に伴い伝送される表示形式情報は、ビデオモニタ装置における映像信号の表示のされ方を、当該映像信号側から制御可能とするものである。特許文献１には、入力された映像信号の垂直ブランキング期間の信号に重畳された識別信号を検出し、検出された識別信号に基づき入力映像信号のアスペクト比を変換し、識別信号を書き換えて出力することで、出力映像信号の画面表示をモニタ装置側で制御可能としたビデオ信号再生装置が記載されている。
【特許文献１】特許第３３６２５３８号公報
【発明の開示】
【発明が解決しようとする課題】
【００１１】
ところで、家庭用のビデオカメラにおいても、ＤＶ規格の普及などにより、アスペクト比１６：９の映像信号を出力できる機種が普及している。アスペクト比１６：９の映像信号を出力可能なビデオカメラの中には、出力される映像信号をビデオモニタ装置に表示させる際のアスペクト比を、１６：９と４：３とで選択可能とされている機種がある。このような機種では、アスペクト比として４：３を選択した場合、モニタ装置側の処理で、水平方向に縮小処理を行うことによりアスペクト比４：３で表示するように、表示形式情報を設定する。
【００１２】
ここで、ユーザがアスペクト比１６：９の映像信号を記録および出力できるビデオカメラで撮影した場合について考える。例えば、ユーザは、撮影された映像信号を表示アスペクト比が４：３のビデオモニタ装置で表示されることを想定し、アスペクト比４：３の画枠を基準として撮影アングルや構図などを決めて撮影を行う。
【００１３】
このように撮影された映像信号を、４：３モニタで表示させる場合には、表示モニタをアスペクト比４：３に設定することにより、再生時に切り出し処理をして表示形式情報をアスペクト比４：３に設定するため、何ら問題は生じない。
【００１４】
しかしながら、この映像信号をワイド画面モニタで表示させる場合、当該ワイド画面モニタがアスペクト比１６：９の映像信号を表示可能であるので、ユーザにより設定された表示形式情報に関わらず、アスペクト比１６：９の映像信号による映像がワイド画面モニタの画枠にフル表示されてしまう。そのため、撮影者の意図通りの表示が行われないおそれがあるという問題点があった。
【００１５】
したがって、この発明の目的は、表示のアスペクト比が１６：９の表示装置に対して、ユーザが記録時に指定したアスペクト比で映像を表示することができるようにした再生装置および方法、ならびに、撮像装置および撮像信号処理方法を提供することにある。
【課題を解決するための手段】
【００１６】
この発明は、上述した課題を解決するために、記録媒体に記録された映像信号を再生して出力する再生装置において、映像信号と映像信号の付随情報とが記録された記録媒体を再生する再生手段と、再生手段の出力に基づき、再生手段により記録媒体から再生された映像信号のアスペクト比が第１のアスペクト比か、第１のアスペクト比よりも水平方向の比率が小さい第２のアスペクト比かを示す第１の識別信号を検出する第１の識別信号検出手段と、再生手段の出力に基づき映像信号の第１のアスペクト比の画枠から第２のアスペクト比の画枠を切り出して表示するか否かを示す第２の識別信号を検出する第２の識別信号検出手段と、ユーザ入力に基づき映像信号を表示させる際の表示アスペクト比を第１のアスペクト比および第２のアスペクト比の何れにするかを示す表示アスペクト比選択信号を出力するアスペクト比選択手段と、第１の識別信号が第１のアスペクト比を示しているときに、第１の識別信号の値をアスペクト比選択手段から出力された表示アスペクト比選択信号に応じた値に変更すると共に、第２の識別信号の値を切り出して表示しないことを示す値に変更する識別信号制御手段と、表示アスペクト比選択信号が第１のアスペクト比を示し、さらに、第１の識別信号が第１のアスペクト比を示し、且つ、第２の識別信号が切り出して表示しないことを示している場合、第１のアスペクト比の映像信号による画枠を変えずに映像信号のうち第２のアスペクト比となる領域の映像だけが表示されるように処理し、表示アスペクト比選択信号が第２のアスペクト比を示している場合、第１のアスペクト比の映像信号から第２のアスペクト比の映像信号を切り出すようにしたアスペクト比変換手段とを備え、識別信号制御手段から出力される第１の識別信号および第２の識別信号を、アスペクト比変換手段から出力される映像信号と共に出力するようにしたことを特徴とする再生装置である。
【００１７】
また、この発明は、記録媒体に記録された映像信号を再生して出力する再生方法において、映像信号と映像信号の付随情報とが記録された記録媒体を再生する再生のステップと、再生のステップによる出力に基づき、再生のステップにより記録媒体から再生された映像信号のアスペクト比が第１のアスペクト比か、第１のアスペクト比よりも水平方向の比率が小さい第２のアスペクト比かを示す第１の識別信号を検出する第１の識別信号検出のステップと、再生のステップによる出力に基づき映像信号の第１のアスペクト比の画枠から第２のアスペクト比の画枠を切り出して表示するか否かを示す第２の識別信号を検出する第２の識別信号検出のステップと、ユーザ入力に基づき映像信号を表示させる際の表示アスペクト比を第１のアスペクト比および第２のアスペクト比の何れにするかを示す表示アスペクト比選択信号を出力するアスペクト比選択のステップと、第１の識別信号が第１のアスペクト比を示しているときに、第１の識別信号の値をアスペクト比選択のステップから出力された表示アスペクト比選択信号に応じた値に変更すると共に、第２の識別信号の値を切り出して表示しないことを示す値に変更する識別信号制御のステップと、表示アスペクト比選択信号が第１のアスペクト比を示し、さらに、第１の識別信号が第１のアスペクト比を示し、且つ、第２の識別信号が切り出して表示しないことを示している場合、第１のアスペクト比の映像信号による画枠を変えずに映像信号のうち第２のアスペクト比となる領域の映像だけが表示されるように処理し、表示アスペクト比選択信号が第２のアスペクト比を示している場合、第１のアスペクト比の映像信号から第２のアスペクト比の映像信号を切り出すようにしたアスペクト比変換のステップとを備え、識別信号制御のステップにより出力される第１の識別信号および第２の識別信号を、アスペクト比変換のステップにより出力される映像信号と共に出力するようにしたことを特徴とする再生方法である。
【００１８】
また、この発明は、撮像されて得られた映像信号を記録媒体に記録し、撮像され記録媒体に記録された映像信号を再生して出力する撮像装置において、被写体からの光を撮像する撮像手段と、撮像手段から出力された撮像信号に所定の信号処理を施して第１のアスペクト比の映像信号を出力する信号処理手段と、信号処理手段から出力される映像信号のアスペクト比が第１のアスペクト比であることを示す第１の識別信号と、ユーザ入力に応じて、撮像のステップで撮像して得られた撮像信号に基づく映像を第１のアスペクト比で表示するか、第１のアスペクト比よりも水平方向の比率が小さい第２のアスペクト比で表示するかを示す第２の識別信号とを生成する識別信号生成手段と、信号処理手段から出力される映像信号と、識別信号生成手段から出力される第１の識別信号および第２の識別信号とを記録媒体に記録する記録手段と、映像信号と、第１の識別信号および第２の識別信号とが記録された記録媒体を再生する再生手段と、再生手段の出力から第１の識別信号を検出する第１の識別信号検出手段と、再生手段の出力から第２の識別信号を検出する第２の識別信号検出手段と、ユーザ入力に基づき再生手段で再生された再生映像信号を表示させる際の表示アスペクト比を第１のアスペクト比および第２のアスペクト比の何れにするかを示す表示アスペクト比選択信号を出力するアスペクト比選択手段と、第１の識別信号が第１のアスペクト比を示しているときに、第１の識別信号の値をアスペクト比選択手段から出力された表示アスペクト比選択信号に応じた値に変更すると共に、第２の識別信号の値を切り出して表示しないことを示す値に変更する識別信号制御手段と、表示アスペクト比選択信号が第１のアスペクト比を示し、さらに、第１の識別信号が第１のアスペクト比を示し、且つ、第２の識別信号が切り出して表示しないことを示している場合、第１のアスペクト比の再生映像信号による画枠を変えずに再生映像信号のうち第２のアスペクト比となる領域の映像だけが表示されるように処理し、表示アスペクト比選択信号が第２のアスペクト比を示している場合、第１のアスペクト比の再生映像信号から第２のアスペクト比の映像信号を切り出すようにしたアスペクト比変換手段とを備え、識別信号制御手段から出力される第１の識別信号および第２の識別信号を、アスペクト比変換手段から出力される映像信号と共に出力するようにしたことを特徴とする撮像装置である。
【００１９】
また、この発明は、撮像されて得られた映像信号を記録媒体に記録し、撮像され記録媒体に記録された映像信号を再生して出力する撮像装置の撮像信号処理方法において、被写体からの光を撮像して得られた撮像信号に所定の信号処理を施して出力された第１のアスペクト比の映像信号と、映像信号のアスペクト比が第１のアスペクト比であることを示す第１の識別信号と、ユーザ入力に応じて、撮像のステップで撮像して得られた撮像信号に基づく映像を第１のアスペクト比で表示するか、第１のアスペクト比よりも水平方向の比率が小さい第２のアスペクト比で表示するかを示す第２の識別信号とが記録された記録媒体を再生する再生のステップと、再生のステップによる出力から第１の識別信号を検出する第１の識別信号検出のステップと、再生のステップによる出力から第２の識別信号を検出する第２の識別信号検出のステップと、ユーザ入力に基づき再生のステップで再生された再生映像信号を表示させる際の表示アスペクト比を第１のアスペクト比および第２のアスペクト比の何れにするかを示す表示アスペクト比選択信号を出力するアスペクト比選択のステップと、第１の識別信号が第１のアスペクト比を示しているときに、第１の識別信号の値をアスペクト比選択のステップから出力された表示アスペクト比選択信号に応じた値に変更すると共に、第２の識別信号の値を切り出して表示しないことを示す値に変更する識別信号制御のステップと、表示アスペクト比選択信号が第１のアスペクト比を示し、さらに、第１の識別信号が第１のアスペクト比を示し、且つ、第２の識別信号が切り出して表示しないことを示している場合、第１のアスペクト比の再生映像信号による画枠を変えずに再生映像信号のうち第２のアスペクト比となる領域の映像だけが表示されるように処理し、表示アスペクト比選択信号が第２のアスペクト比を示している場合、第１のアスペクト比の再生映像信号から第２のアスペクト比の映像信号を切り出すようにしたアスペクト比変換のステップとを備え、識別信号制御のステップにより出力される第１の識別信号および第２の識別信号を、アスペクト比変換のステップにより出力される映像信号と共に出力するようにしたことを特徴とする撮像信号処理方法である。
【００２０】
上述したように、この発明は、記録媒体から映像信号と映像信号の付随情報とを再生し、再生信号から検出された、映像信号のアスペクト比が第１のアスペクト比か、第１のアスペクト比よりも水平方向の比率が小さい第２のアスペクト比かを示す第１の識別信号が第１のアスペクト比を示しているときに、第１の識別信号の値をユーザ入力に基づき映像信号を表示させる際の表示アスペクト比を第１のアスペクト比および第２のアスペクト比の何れにするかを示す表示アスペクト比選択信号に応じた値に変更すると共に、再生信号から検出された、映像信号の第１のアスペクト比の画枠から第２のアスペクト比の画枠を切り出して表示するか否かを示す第２の識別信号の値を切り出して表示しないことを示す値に変更し、表示アスペクト比選択信号が第１のアスペクト比を示し、さらに、第１の識別信号が第１のアスペクト比を示し、且つ、第２の識別信号が切り出して表示しないことを示している場合、第１のアスペクト比の映像信号による画枠を変えずに映像信号のうち第２のアスペクト比となる領域の映像だけが表示されるように処理し、表示アスペクト比選択信号が第２のアスペクト比を示している場合、第１のアスペクト比の映像信号から第２のアスペクト比の映像信号を切り出すように処理し、処理された映像信号と、変更された第１の識別信号および第２の識別信号とを共に出力するようにしているため、処理された映像信号がアスペクト比が１６：９の映像信号を直接的に表示可能なモニタに映出される際に、アスペクト比が１６：９の映像のうちアスペクト比が４：３の領域のみを表示させるようなユーザ入力が表示に反映される。
【００２１】
また、この発明は、撮像されて得られた映像信号を記録媒体に記録し、撮像され記録媒体に記録された映像信号を再生して出力する撮像装置の撮像信号処理方法において、被写体からの光を撮像して得られた撮像信号に所定の信号処理を施して出力された第１のアスペクト比の映像信号と、映像信号のアスペクト比が第１のアスペクト比であることを示す第１の識別信号と、ユーザ入力に応じて、撮像のステップで撮像して得られた撮像信号に基づく映像を第１のアスペクト比で表示するか、第１のアスペクト比よりも水平方向の比率が小さい第２のアスペクト比で表示するかを示す第２の識別信号とが記録された記録媒体を再生し、再生信号から検出された第１の識別信号が第１のアスペクト比を示しているときに、第１の識別信号の値をユーザ入力に基づき映像信号を表示させる際の表示アスペクト比を第１のアスペクト比および第２のアスペクト比の何れにするかを示す表示アスペクト比選択信号に応じた値に変更すると共に、再生信号から検出された第２の識別信号の値を切り出して表示しないことを示す値に変更し、表示アスペクト比選択信号が第１のアスペクト比を示し、さらに、第１の識別信号が第１のアスペクト比を示し、且つ、第２の識別信号が切り出して表示しないことを示している場合、第１のアスペクト比の映像信号による画枠を変えずに映像信号のうち第２のアスペクト比となる領域の映像だけが表示されるように処理し、表示アスペクト比選択信号が第２のアスペクト比を示している場合、第１のアスペクト比の映像信号から第２のアスペクト比の映像信号を切り出すように処理し、処理された映像信号と、変更された第１の識別信号および第２の識別信号とを共に出力するようにしているため、ユーザが撮影時に画枠をアスペクト比４：３に設定して記録媒体に記録したアスペクト比１６：９の映像信号を再生する際に、再生映像をアスペクト比１６：９の映像信号を直接的に表示可能なモニタに映出する場合でも、撮影時に設定された画枠のアスペクト比４：３がモニタ映像に反映される。
【発明の効果】
【００２２】
この発明によれば、アスペクト比４：３に画枠を切り出すことを示す識別信号が付加されているアスペクト比１６：９の映像信号を、アスペクト比１６：９の映像を直接的に表示可能なモニタ装置に表示させる際に、特別な操作をすることなく、自動的にアスペクト比が１６：９のままで画枠がアスペクト比４：３に切り出された映像を表示することができる効果がある。
【００２３】
また、この発明によれば、任意のシーンに画枠を切り出すことを示す識別信号を付加することができるので、例えばアスペクト比１６：９の画枠の左右の端を隠したいシーンに識別信号を付加すれば、特別な操作をすること無しに、アスペクト比１６：９の映像の左右端の映像を隠すことができる効果がある。
【発明を実施するための最良の形態】
【００２４】
以下、この発明の実施の第１の形態を、図面を参照しながら説明する。図１は、この発明を概略的に説明するための機能ブロック図である。映像信号処理装置１において、制御部１０は、例えばマイクロプロセッサからなり、図示されないＲＯＭに予め記憶されたプログラムに従い、映像信号処理装置１の各部の動作を制御すると共に、供給された各種信号やデータに対する処理を行う。
【００２５】
例えば記録媒体から再生された映像信号が映像信号処理装置１に入力され、識別信号（１）検出部１１に供給される。なお、映像信号は、映像を表示するための信号であって、映像情報そのものと、映像情報に対応する付随情報、例えば映像を表示する際の表示を制御するための制御情報とを含むものとする。識別信号（１）検出部１１は、供給された映像信号から、当該映像信号のアスペクト比が１６：９であるか、あるいは４：３であるかを示す識別信号（１）を検出する。識別信号（１）検出部１１で識別信号（１）が検出された映像信号は、識別信号検出部（２）に供給される。識別信号（２）検出部１２は、供給された映像信号から、当該映像信号に対して画枠の切り出しを行うか否かを指示する識別信号（２）を検出する。
【００２６】
このように、識別信号（１）および識別信号（２）は、それぞれ１ビットあるいは２ビットで以て表現可能な情報である。
【００２７】
識別信号（１）検出部１１および識別信号（２）検出部１２で検出された識別信号（１）および識別信号（２）は、それぞれ制御部１０に供給される。また、識別信号（２）検出部１２で識別信号（２）を検出された映像信号は、映像切り出し部１３に供給される。
【００２８】
一方、入力された映像信号を、アスペクト比１６：９の表示装置に表示させるか、アスペクト比４：３表示装置に表示させるかが、選択検出部１５により、ユーザ入力に基づき選択される。この選択結果を示すユーザ選択信号が選択検出部１５から出力され、制御部１０に供給される。
【００２９】
制御部１０は、供給された識別情報（１）、識別情報（２）およびユーザ選択信号に基づき、入力された映像信号をアスペクト比が４：３になるように切り出して出力するか否かを判断する。判断結果は、切り出し制御信号として映像切り出し部１３に供給される。それと共に、制御部１０は、出力される映像信号に応じた識別信号（１）’および識別信号（２）’を生成し、識別信号付加部１４に供給する。制御部１０における判断処理および識別信号の生成処理については、後述する。
【００３０】
映像切り出し部１３は、切り出し制御信号に基づき入力された映像信号の切り出し処理を行う。切り出し制御信号が映像信号の切り出しを行うことを示していれば、映像切り出し部は、供給された映像信号を、アスペクト比が４：３になるように切り出して出力する。切り出し処理は、例えば、アスペクト比が１６：９の映像信号に対し、ライン数を変えずにアスペクト比が４：３になるような水平方向の所定範囲（例えば中央部）を抽出して行う。すなわち、切り出し処理により、アスペクト比１６：９の映像信号が垂直方向のサイズを変えずにアスペクト比４：３の映像信号に変換される。
【００３１】
若しくは、映像切り出し部１３は、必要に応じて、供給された映像信号を、水平方向における中央部分のアスペクト比４：３の部分だけが表示されるような映像信号に変換する。例えば、アスペクト比１６：９の映像信号による画枠の両脇を他の映像で置き換え、残った領域のアスペクト比が４：３になるようにする。より具体的な例としては、アスペクト比が１６：９の映像信号から、一旦、アスペクト比が４：３になるような水平方向の所定範囲を切り出し、切り出された映像信号の両脇に対して黒帯表示など他の映像信号を付加し、画枠をアスペクト比１６：９とする。これに限らず、例えば、アスペクト比１６：９の画面の両脇を黒帯などを表示する他の映像信号を用いてマスクすることも考えられる。
【００３２】
映像切り出し部１３から出力された映像信号は、識別信号付加部１４に供給される。識別信号付加部１４は、供給された映像信号に対して、制御部１０から供給された識別信号（１）’および識別信号（２）’を所定に付加する。すなわち、この映像信号処理装置１に入力された映像信号に付加されていた識別信号（１）および識別信号（２）は、識別信号付加部１４により、制御部１０で生成された識別信号（１）’および識別信号（２）’とすげ替えられる。換言すれば、入力映像信号に付加されていた識別信号（１）および識別信号（２）は、識別信号（１）’および識別信号（２）’に変換されて出力される。識別信号（１）’および識別信号（２）’が付加された映像信号は、出力映像信号として出力され、例えば表示アスペクト比が１６：９の表示装置２０に供給される。
【００３３】
図２は、上述した、制御部１０における判断処理および識別信号の生成処理の一例のフローチャートを示す。映像信号処理装置１に映像信号が入力されると、ステップＳ１０で、識別信号（１）検出部１５により識別信号（１）が検出される。制御部１０は、この識別信号（１）に基づき、入力された映像信号のアスペクト比が１６：９および４：３の何れであるかが判断される（ステップＳ１１）。
【００３４】
若し、ステップＳ１１で、映像信号のアスペクト比が４：３であると判断されれば、一連の処理が終了される。この場合、入力映像信号は、例えば識別信号（２）検出部１２、映像切り出し部１３および識別信号付加部１４の処理をそれぞれキャンセルされて、直接的に表示装置２０に供給されることになる。
【００３５】
一方、ステップＳ１１で映像信号のアスペクト比が１６：９であると判断されれば、処理はステップＳ１２に移行され、識別信号（２）検出部１２において、映像信号から識別信号（２）が検出される。そして、検出された識別信号（２）に基づき、次のステップＳ１３で、切り出しが指定されているか否かが判断される。若し、切り出しが指定されていると判断されれば、処理はステップＳ１４に移行する。
【００３６】
ステップＳ１４では、選択検出部１５から供給されるユーザ選択信号に基づき、ユーザが映像信号をアスペクト比１６：９の表示装置に表示させるか、アスペクト比４：３の表示装置に表示させるかの何れを選択したかが判断される。若し、アスペクト比１６：９の表示装置に表示させることが選択されたと判断されれば、処理はステップＳ１５に移行される。
【００３７】
ステップＳ１５では、制御部１０から映像切り出し部１３に対して、供給された映像信号を、当該映像信号の水平方向における中央部分のアスペクト比４：３となる領域だけが選択的に表示されるような映像信号に変換する旨を指示する切り出し制御信号が供給される。
【００３８】
例えば、図３Ａに示されるような、アスペクト比（ａ：ｂ）が１６：９の画面３０に対し、図３Ｂに例示されるように、画面３０の両脇を黒色のマスク表示３１、３１を表示する映像信号で置き換える。このマスク表示３１、３１により、アスペクト比が１６：９である元の映像信号における画面３０の両脇の表示をマスクし、マスク表示３１、３１で置き換えられていない表示領域３２のアスペクト比（ｃ：ｂ）が４：３になるようにする。画面３０に表示される映像信号そのもののアスペクト比は、１６：９のまま変わらない。
【００３９】
また、アスペクト比が１６：９の映像信号から水平方向の所定範囲を切り出してアスペクト比が４：３の映像信号とし、この映像信号の両脇に黒帯表示などを行う他の映像信号を付加するようにしてもよい。
【００４０】
なお、マスク表示３１、３１は、この例に限定されず、例えば灰色表示などの他の色を表示する映像信号を用いてもよいし、所定にデザインされた画像を表示する映像信号を用いることもできる。以下では、このような、アスペクト比が１６：９の映像信号の両脇が他の映像信号で置き換えられ、元の映像信号のうち中央部分のアスペクト比が４：３の領域だけが表示されるようにした映像信号または映像を、まとめて、マスク付映像信号またはマスク付映像と呼ぶ。
【００４１】
ステップＳ１５でマスク付映像信号への変換が指示されると、処理はステップＳ１６に移行される。ステップＳ１６では、制御部１０において、映像信号のアスペクト比が１６：９であることを示す識別信号（１）’が生成され、識別信号付加部１４に供給される。
【００４２】
さらに、処理はステップＳ２０に移行し、映像信号の切り出しをしないことを示す識別信号（２）が制御部１０で生成され、識別信号付加部１４に供給される。識別信号付加部１４は、供給されたこの識別信号（２）’と、ステップＳ１６で供給された識別信号（１）’とを、映像信号に対して所定に付加する。
【００４３】
ステップＳ２０で識別信号付加部１４により識別信号（１）および識別信号（２）を付加された映像信号は、出力映像信号として、例えばアスペクト比が１６：９の表示装置２０に供給される。
【００４４】
図４は、図２の処理による出力映像の形態と、出力映像信号に付加される識別信号（１）’および識別信号（２）’とをまとめて示す。表示装置２０には、図４における処理が対応する欄（入力識別信号（２）が「切り出し」、ユーザ選択が「切り出さない」の「本方式」の欄）に一例が示されるように、表示アスペクト比が１６：９の表示画面に対して両脇がマスク表示とされ、中央部分に表示アスペクト比が４：３の画面と同等の表示がなされる。
【００４５】
なお、従来では、入力映像信号の識別信号（１）が「１６：９」、識別信号（２）が「切り出し」、且つ、ユーザ選択が「切り出さない」の場合には、図４の入力識別信号（２）が「切り出し」、ユーザ選択が「切り出さない」の「従来方式」の欄に一例が示されるが如く、入力映像信号の識別信号（１）と、ユーザ選択とに基づきアスペクト比が１６：９の映像信号が表示アスペクト比１６：９の表示装置２０の画面にフルに表示され、入力映像信号の識別信号（２）の設定が反映されていなかった。この発明の方法によれば、入力映像信号における識別信号（２）の設定が表示に反映されるため、例えば映像信号の撮影者や制作者などの意図に沿った表示が可能である。
【００４６】
図２の説明に戻り、上述したステップＳ１４で、ユーザにより映像信号をアスペクト比４：３の表示装置に表示させることが選択されたと判断された場合には、処理はステップＳ１８に移行される。ステップＳ１８では、制御部１０において、供給された映像信号から、例えば横方向に対して中央部分をアスペクト比が４：３になるように切り出すことを指示する切り出し制御信号が生成され、映像切り出し部１３に渡される。映像切り出し部１３は、この切り出し制御信号に従い、供給された映像信号からアスペクト比４：３の映像信号を切り出す。
【００４７】
ステップＳ１８で制御部１０において切り出し制御信号が生成されると、次のステップＳ１９で、映像信号のアスペクト比が４：３であることを示す識別信号（１）’が制御部１０で生成される。この識別信号（１）’は、識別信号付加部１４に供給される。そして、処理はステップＳ２０に移行され、映像信号の切り出しをしないことを示す識別信号（２）’が制御部１０で生成され、識別信号付加部１４に供給される。識別信号（１）’および識別信号（２）’は、識別信号付加部１４により、映像信号に対して所定に付加される。この場合の表示装置２０の表示は、図４における入力識別信号（２）が「切り出し」、ユーザ選択が「切り出し」の欄のように、表示アスペクト比が４：３の表示装置２０に対してアスペクト比が４：３の映像信号による映像がフルで表示される。
【００４８】
上述したステップＳ１３で、識別信号（２）に基づき、切り出しが指定されていないと判断されれば、処理はステップＳ１７に移行する。ステップＳ１７では、上述したステップＳ１４と同様にして、選択検出部１５から供給されるユーザ選択信号に基づき、ユーザが映像信号をアスペクト比１６：９の表示装置に表示させるか、アスペクト比４：３の表示装置に表示させるかの何れを選択したかが判断される。若し、アスペクト比１６：９の表示装置に表示させることが選択されたと判断された場合には、表示装置２０の表示アスペクト比が１６：９であると判断され、処理は上述したステップＳ１６に移行される。ステップＳ１６以降は、既に説明したように処理がなされ、さらに処理がステップＳ２０に移行し、出力映像信号を得る。この場合の表示装置２０の表示は、図４における入力識別信号（２）が「切り出さない」、ユーザ選択が「切り出さない」の欄のように、表示アスペクト比が１６：９の表示装置２０に対してアスペクト比が１６：９の映像信号による映像がフルで表示される。
【００４９】
一方、ステップＳ１７で、映像信号をアスペクト比４：３の表示装置に表示させることが選択されたと判断された場合には、処理は上述したステップＳ１８に移行される。ステップＳ１８以降は、既に説明したように処理がなされ、さらに処理がステップＳ２０に移行し、出力映像信号を得る。この場合の表示装置２０の表示は、図４における入力識別信号（２）が「切り出さない」、ユーザ選択が「切り出し」の欄のように、表示アスペクト比が４：３の表示装置２０に対してアスペクト比が４：３の映像信号による映像がフルで表示される。
【００５０】
なお、入力された映像信号によっては、識別信号（２）が付加されていない場合がある。この場合には、識別信号（２）検出部１４における検出が行えないので、映像信号において切り出しが指定されているか否かが不明とされ、上述したステップＳ１３から処理がステップＳ１７に移行される。すなわち、識別信号（２）が映像信号に付加されていない場合には、ユーザ入力に応じて選択検出部１５から出力されるユーザ選択信号に基づき、映像切り出し部１３による映像信号の切り出しを行うか否かが制御される。
【００５１】
以上の処理および制御をまとめると、次のようになる。
（Ａ）識別信号（１）により、入力映像信号のアスペクト比が１６：９であることが示される。
（Ｂ）識別信号（２）により、「切り出しする」が指定される。
（Ｃ）接続された表示装置２０の表示アスペクト比が１６：９であることが指示される。
これら（Ａ）、（Ｂ）および（Ｃ）の条件を全て満たしている場合に、制御部１０は、映像切り出し部１３に対して映像信号の両脇を黒帯表示とし映像信号を黒帯付映像信号に変換することを指示する切り出し制御信号を生成する。
【００５２】
図５は、この発明の実施の第２の形態によるビデオカメラ装置１００の一例の構成を概略的に示す。このビデオカメラ装置１００は、記録媒体１１２として記録可能なＤＶＤ(Digital Versatile Disc)を用い、例えばＣＣＤ(Charge Coupled Device)といった撮像素子を用いて撮像部１０１で得られた撮像信号をディジタル映像信号に変換し、所定に付加情報などを付加してＤＶＤビデオ規格に準じたフォーマットとして、ＤＶＤに記録するようにしている。また、映像信号を出力する出力端１１４は、Ｄ端子に対応しているものとする。なお、図５では、繁雑さを避けるために、オーディオ信号の系統は省略されている。
【００５３】
制御部１２０は、例えばＣＰＵ(Central Processing Unit)と、ＲＯＭ(Read Only Memory)およびＲＡＭ(Random Access Memory)といったメモリを有し、ＲＯＭに予め格納されたプログラムに従いビデオカメラ装置１００の各部とデータやコマンドなどのやりとりを行い、このビデオカメラ装置１００の全体を制御する。ＲＡＭは、例えばＣＰＵのワークメモリとして用いられる。
【００５４】
操作部１１５は、スイッチやダイヤルといった各種の操作子を備え、ユーザからの入力を受け付ける。操作部１１５は、ユーザによるこれら操作子に対する操作に応じた制御信号を出力し、制御部１２０に供給する。上述した、ユーザによる表示アスペクト比の選択も、この操作部１１５に設けられた操作子に対する操作により行われる。操作部１１５は、当該操作子に対するユーザ操作を検出し、操作に応じたユーザ選択信号を出力する。
【００５５】
例えば、当該ビデオカメラ装置１００に対して接続される表示装置１２０の種類（アスペクト比）を１６：９および４：３から選択して指定する操作子が操作部１１５に設けられる。この操作子の操作に応じて、制御部１２０でユーザ選択信号が生成される。また、操作部１１５には、ユーザが撮影時に画枠を１６：９および４：３から選択するための操作子も、設けられる。
【００５６】
撮像部１０１は、ＣＣＤ(Charge Coupled Device)といった撮像素子と、撮像素子に入射される光を制御する光学系および光学系の駆動部とを含む。撮像部１０１において、被写体からの光が光学系を介して撮像素子に入射され、光電変換により電気信号に変換されて出力される。撮像部１０１から出力されたこの撮像信号は、撮像信号処理部１０２に供給される。撮像信号処理部１０２は、供給された撮像信号をディジタル映像信号に変換すると共に、変換されたディジタル映像信号に対してマトリクス処理やガンマ補正、レベル制御など所定の信号処理を施し、出力する。撮像信号処理部１０２から出力されたディジタル映像信号は、映像処理部１０３に供給される。
【００５７】
映像処理部１０３は、メモリ１０４をフレームメモリとして用い、供給されたディジタル映像信号をＭＰＥＧ２(Moving Pictures Experts Group 2)方式で以て圧縮符号化してストリームデータとして出力する。ストリームデータは、マルチプレクサ／デマルチプレクサ１１０に供給される。
【００５８】
なお、映像処理部１０３は、供給されたディジタル映像信号に対して圧縮符号化を施さず、ベースバンドのディジタル映像信号として出力することができる。ベースバンドのディジタル映像信号は、出力信号処理部１１３に供給され、Ｄ／Ａ変換されると共に垂直ブランキング期間の信号など、モニタ装置に表示するために必要な信号を付加され、アナログ映像信号とされて出力される。
【００５９】
さらに、出力信号処理部１１３は、制御部１２０から供給された識別信号（１）’および識別信号（２）’に基づき、コントロール信号を生成する。記録時は、識別信号（１）’は、アスペクト比１６：９を示す値とされ、識別信号（２）’は、ユーザ選択信号に応じた値とされる。コントロール信号は、アナログ映像信号と共に出力端１１４に導出され、例えば出力端１１４に接続されたモニタ装置に供給される。モニタ装置は、アナログ映像信号と共に伝送されたコントロール信号に基づき表示制御を行い、アナログ映像信号を映出させる。
【００６０】
なお、図示は省略するが、映像処理部１０３には、撮影者が撮影中の撮影画像をモニタするためのビューファインダなどが接続される。このビューファインダの画枠は、ユーザの操作部１１５に対する画枠の選択操作に応じて変化する。例えば、ユーザが撮影時に操作部１１５の操作子を所定に操作し、撮影の画枠をアスペクト比４：３に選択した場合は、ビューファインダの表示も画枠のアスペクト比が４：３とされる。あるいは、ビューファインダに対してアスペクト比が４：３の画枠を示す表示がなされる。ユーザは、このアスペクト比が４：３の画枠に基づき、撮影のアングルを決め、画面を構成することができる。勿論、撮影の画枠をアスペクト比１６：９に選択した場合は、ビューファインダ内に、アスペクト比１６：９の映像が表示され、ユーザは、この１６：９のアスペクト比で以て画面を構成することができる。
【００６１】
一方、制御部１２０において、ＤＶＤビデオの再生に必要となる、ビデオストリーム以外のデータが生成される。例えば、制御部１２０は、撮像部１０１、撮像信号処理部１０２および映像処理部１０３、ならびに、操作部１１５から得られる情報に基づき、例えば、ＤＶＤビデオを再生する際の管理データや、ビデオストリームによる映像に重畳して表示される字幕データなどを生成する。また、制御部１２０は、操作部１１５から得られる、撮影時の画枠を示す情報に基づき識別信号（２）を生成する。画枠を１６：９に選択した場合は、識別信号（２）が「切り出さない」を示す値とされ、画枠を４：３に選択した場合は、識別信号（２）が「切り出す」を示す値とされる。なお、このビデオカメラ装置１００では、識別情報（１）は、常にアスペクト比が１６：９であることを示す値とされる。制御部１２０で生成されるこれらの情報（以下、まとめて補助データと呼ぶ）は、マルチプレクサ／デマルチプレクサ１１０に供給される。
【００６２】
マルチプレクサ／デマルチプレクサ１１０は、供給されたストリームデータと、補助データとをＤＶＤビデオに規定されたデータフォーマットにマッピングして多重化し、さらに所定サイズに分割してパケットに格納し、出力する。
【００６３】
なお、記録媒体１１２としてＤＶＤを用い、ＤＶＤビデオ規格に準じた記録フォーマットを適用する場合、識別情報（１）および識別情報（２）は、ＤＶＤビデオの規格において規定されるＤＶＤ上のファイルVIDEO_TS.IFOの情報を用いることができる。ファイルVIDEO_TS.IFOは、ＤＶＤビデオ規格において必須とされるファイルであって、フォルダVIDEO_TS下に置かれる。
【００６４】
すなわち、ファイルVIDEO_TS.IFOにはビデオマネージャの管理テーブルVMGM_MATが含まれ、当該管理テーブルVMGM_MAT内のビデオ属性情報において、アスペクト比情報および表示形態が示される。アスペクト比情報は、２ビットを用いてアスペクト比４：３あるいは１６：９が示される。表示形態は、同様に２ビットを用いて、パンスキャンおよびレターボックスの何れが可であるか、あるいは、両方共可であるかが示される。
【００６５】
識別情報（１）としてアスペクト比情報を用いることができる。また、識別情報（２）として、表示形態の情報を用いることができる。例えば、表示形態としてパンスキャンのみが指定されているときは、当該映像信号に対して切り出しが指示されているものと見なす。
【００６６】
マルチプレクサ／デマルチプレクサ１１０の出力は、記録再生部１１１に供給される。記録再生部１１１は、供給されたデータに対してエラー訂正符号化、記録符号化など所定の処理を施し、変調して記録信号とし、記録媒体１１２に記録する。
【００６７】
記録媒体１１２の再生時は、記録媒体１１２から再生された再生信号は、記録再生部１１１で復調され、さらに記録符号の復号化やエラー訂正符号の復号化処理などを施され、再生ディジタル信号とされる。この再生ディジタル信号は、マルチプレクサ／デマルチプレクサ１１０に供給される。
【００６８】
マルチプレクサ／デマルチプレクサ１１０は、ＤＶＤビデオに規定されたデータフォーマットに基づき、供給された再生ディジタル信号をビデオのストリームデータと、補助データとに分離する。ストリームデータは、映像処理部１０３に供給され、補助データは、制御部１２０に供給される。
【００６９】
制御部１２０では、供給された補助データから、アスペクト比情報と表示形態情報とを取り出す。さらに、例えば出力端１１４に接続されたモニタ装置のアスペクト比に応じて、ユーザにより、操作部１１５が操作され、表示モニタのアスペクト比が設定される。この設定に基づくユーザ選択信号が制御部１２０に供給される。
【００７０】
制御部１２０は、アスペクト比情報、表示形態情報およびユーザ選択信号に基づき、図２を用いて説明した判断処理を行い、判断結果に基づく切り出し制御信号を生成し、映像処理部１０３に供給する。ここでは、アスペクト比情報が識別信号（１）として、表示形態情報が識別信号（２）としてそれぞれ用いられる。また、同様にして、アスペクト比情報、表示形態情報およびユーザ選択信号に基づき、図２を用いて説明した判断を行い、判断結果に従い識別信号（１）’および識別信号（２）’を生成する。識別信号（１）’および識別信号（２）’は、出力信号処理部１１３に供給される。
【００７１】
一方、映像処理部１０３は、メモリ１０４を用いて、供給されたストリームデータをベースバンドのディジタル映像信号に復号化する。このとき、映像処理部１０３は、制御部１２０から供給された切り出し制御信号に基づき、ディジタル映像信号の切り出し処理や、マスク付映像信号への変換処理（図２のステップＳ１５参照）を行う。
【００７２】
映像処理部１０３におけるマスク付映像信号への変換処理は、例えば、メモリ１０４のフレームメモリ領域に書き込まれたフレームのマスク表示とする領域の画素データを、マスクを表示する画素データ（例えば黒色を表示する画素データ）で上書または置き換えることでなされる。また、アスペクト比が１６：９の映像信号からアスペクト比が４：３の映像信号を切り出す処理は、例えばメモリ１０４に書き込まれたディジタル映像信号を読み出す際に、切り出す対象となる領域のデータをライン毎に、表示装置２０の水平同期周波数に同期させて読み出すことでなされる。
【００７３】
映像処理部１０３から出力されたディジタル映像信号は、出力信号処理部１１３に供給される。出力信号処理部１１３は、供給されたディジタル映像信号をＤ／Ａ変換すると共に垂直ブランキング期間の信号など、モニタ装置に表示するために必要な信号を付加し、アナログ映像信号として出力する。さらに、出力信号処理部１１３は、制御部１２０から供給された識別信号（１）’および識別信号（２）’に基づきＤ端子の規格に準じたコントロール信号を生成する。コントロール信号は、アナログ映像信号と共に出力端１１４に導出され、例えば出力端１１４に接続されたモニタ装置に供給される。
【００７４】
アスペクト比が１６：９のディジタル映像信号に対して、ユーザによりアスペクト比４：３への「切り出し」が例えば撮影時に指定されている場合に、ユーザの操作部１１５に対する操作により表示アスペクト比が１６：９が選択されると共に当該ディジタル映像信号を表示アスペクト比が１６：９のモニタ装置に供給しても、ビデオカメラ装置１００から出力される映像信号は、アスペクト比が１６：９の信号のうち両脇がマスク表示とされ中央部分のアスペクト比４：３の領域のみに元の映像信号が切り出された、マスク付映像信号に変換されているので、端子１１４に接続されたモニタ装置には、撮影者の意図通りの、アスペクト比４：３の映像が自動的に表示される。
【００７５】
なお、上述では、この発明がビデオカメラ装置１００に適用されるように説明したが、これはこの例に限定されない。すなわち、この発明は、撮像手段を有さず、記録媒体１１２に記録されたディジタル映像信号を再生する再生装置に対しても、同様にして適用することができる。この場合には、再生装置の構成は、概略的には、上述の図４の構成において、撮像部１０１と撮像信号処理部１０２とを省略したものとされる。
【００７６】
また、上述では、この発明が記録媒体にＤＶＤを用いＤＶＤビデオ規格のフォーマットでディジタル映像信号を記録媒体に記録する例について説明したが、これはこの例に限定されない。この発明は、ＤＶフォーマットなど、磁気テープを記録媒体に用いた場合にも適用可能なものである。ＤＶフォーマットの場合、トラック毎に設けられるＩＴＩ(Insert and Track Information)セクタやサブコードセクタに識別情報（１）および識別情報（２）を格納することが考えられる。この場合には、フレームまたはフィールド毎に表示制御を行うことが可能となる。
【００７７】
さらに、上述では、ビデオカメラ装置１００がＤ端子に対応し、識別信号（１）’および識別信号（２）’に基づきＤ端子におけるコントロール信号を生成し、このコントロール信号をアナログ映像信号と共に出力するように説明したが、これはこの例に限定されない。例えば、ビデオカメラ装置１００がＳ２端子を備えているような場合にも、この実施の第２の形態を適用することができる。この場合、制御部１２０において、識別信号（１）’および識別信号（２）’とに基づく電圧の直流を発生させ、出力信号処理部１１３においてＣ信号に重畳する。さらにまた、識別信号（１）’および識別信号（２）’を、アナログ映像信号の垂直ブランキング期間の所定位置に挿入して出力することもできる。
【００７８】
また、上述では、ビデオカメラ装置１００の出力がアナログ映像信号であるように説明したが、これはこの例に限定されず、ディジタル映像信号で出力するようにもできる。この場合、例えばＩＥＥＥ(Institute Electrical and Electronics Engineers)１３９４に規定されるインターフェイスを出力端１１４として用いることができる。識別情報（１）’および識別情報（２）’を、それぞれアスペクト情報やパンスキャン情報としてディジタル映像信号に多重化して伝送することが可能である。
【図面の簡単な説明】
【００７９】
【図１】この発明を概略的に説明するための機能ブロック図である。
【図２】制御部における判断処理および識別信号の生成処理の例を示すフローチャートである。
【図３】映像信号のアスペクト比を変えずに表示映像のアスペクト比を４：３とする方法を説明するための略線図である。
【図４】この発明の処理による出力映像の形態と、出力映像信号に付加される識別信号を示す略線図である。
【図５】この発明の実施の第２の形態によるビデオカメラ装置１００の一例の構成を概略的に示すブロック図である。
【符号の説明】
【００８０】
１０  制御部
１１  識別信号（１）検出部
１２  識別信号（２）検出部
１３  映像切り出し部
１４  識別信号付加部
１５  選択検出部
【図１】
2006246210.tif 000003
【図２】
2006246210.tif 000004
【図３】
2006246210.tif 000005
【図４】
2006246210.tif 000006
【図５】
2006246210.tif 000007